(57)【特許請求の範囲】
【請求項１】
横行レール上を横移動可能とする複数の横行ローラーを取付けた横行台車と、該横行台車に取付けられた上下昇降可能な昇降姿勢制御用の３本の油圧ジャッキと、該油圧ジャッキにより上下昇降可能な昇降フレームと、該昇降フレーム上にフリーローラーテーブルを取り付け、該フリーローラーテーブル上に前後にスライド可能なＰＣブロック積載板を具備したことを特徴とする落橋防止ＰＣブロック取付工事用特殊作業台車装置。
【請求項２】
上記上下昇降用の３本の昇降姿勢制御油圧ジャッキを、橋脚に向かって前側左右に２本、後側に１本取り付けることにより安定した３点支持機構を構成し、昇降フレーム上に積載されたＰＣブロックの上下位置と前後左右の姿勢傾きの微調整制御を可能にしたことを特徴とする請求項１記載の落橋防止ＰＣブロック取付工事用特殊作業台車装置。
【発明の詳細な説明】
【技術分野】
【０００１】  本発明は、地震時等において橋桁等が橋脚や橋台から落下するのを防止するための、落橋防止ＰＣブロック取付工事用に使用される落橋防止ＰＣブロック取付工事用特殊作業台車装置に関するものである。
【背景技術】
【０００２】  一般に、図７に示すように、橋桁１５に鋼製の落橋防止ストッパーブラケット１６を取り付けるとともに、橋脚（または橋台、以下同様）１４に落橋防止ＰＣブロック８を取り付けて、地震時等において橋桁１５等が橋脚１４から落下して大災害を発生することを防止する対策が行われている。【０００３】  従来、上記落橋防止ＰＣブロック８を橋脚１４に取り付ける工事技術としては、図７に示すように橋桁１５の下にアンカーを打設して、これに図示していないチェーンブロックを取り付け、該チェーンブロックにより上記落橋防止ＰＣブロック８を持ち上げて所定の位置近くまで運び上げ、落橋防止ＰＣブロック８を宙吊り状態で人手により取付位置まで移動させ、あらかじめ橋脚１４に取り付けたＰＣブロック取付アンカーボルト１１の頭にＰＣブロック８に開けた取付アンカーボルト穴９の位置を合わせ、その後ＰＣブロック８を取り付けアンカーボルト１１に差し込み橋脚１４に取り付けていた。【０００４】  また従来、図８に示すように、クレーン１９の伸縮ブーム１７の先端部に落橋防止ＰＣブロック取付用先端治具１８を設けて、このＰＣブロック取付用先端治具１８に落橋防止ＰＣブロック８をセットし、該伸縮ブーム１７により高さや位置等を調整しながら落橋防止ＰＣブロック８を橋脚１４の取付位置まで移動させて取付ける技術があった。（例えば、特許文献１参照）【０００５】  さらに、クレーン１９の替わりに、俯仰および旋回自在で、伸縮可能なブームの先端部に作業デッキを設けた高所作業車を使用する工事技術も提案されている。（例えば、特許文献２参照）
【特許文献１】特開平１１−１４７６９１号公報
【特許文献２】特開２００５−１３３３２４号公報
【発明の開示】
【発明が解決しようとする課題】
【０００６】  しかし、上記チェーンブロックによる取付作業は、落橋防止ＰＣブロック８のような重量物を作業者の頭上の狭い空間で、しかも吊り下げた不安定な状態で落橋防止ＰＣブロック８を移動させて、ＰＣブロック８に開けた取付アンカーボルト穴９を取付アンカーボルト１１の頭に合わせなければならないので、危険極まりない苦渋作業で時間がかかるだけでなく、別途作業用の足場を組む必要があったり、落橋防止ＰＣブロック８にワイヤを引っ掛けて吊り上げていたため、コンクリート製のＰＣブロックが欠けたりして、落橋防止工事の品質の低下を生じさせる等の問題があった。【０００７】  また、上記特許文献１のクレーン伸縮ブーム１７の先端部のＰＣブロック取付用先端治具１８による場合は、操作が遠方のクレーン運転室からの遠隔操作となるので、落橋防止ＰＣブロック８の位置およびＰＣブロック８の姿勢や傾きの微調整が困難で、手間と時間がかかるだけでなく、クレーン伸縮ブーム１７との干渉を防止するために、作業足場の安全手摺りを部分的に撤去する必要があり危険な作業となる等の問題点もあった。特許文献２の高所作業車を使用する落橋防止ＰＣブロック取付工事の場合も、特許文献１と類似の問題点があった。【０００８】  さらに、一般に落橋防止工事の工事現場は橋の下となるため足場が悪く、大型のクレーン車や高所作業車の進入が困難な場所が多い。クレーン車や高所作業車の作業足場を設置しようとすると、落橋防止ＰＣブロック８の１０数倍の重量の作業車用の高強度な作業足場が必要となり、その高強度作業足場設置費用だけでも莫大なコストとなるため、そのような作業足場の設置は困難であり、クレーン車や高所作業車の使用が難しいという問題点もあった。また、山間部にある橋梁の場合は、橋脚１４がクレーンや高所作業車では届かないほど高さが高くなる場合が多く、この場合はクレーンや高所作業車を使用することはできず、人手で困難な取付作業を強いられるという労働安全衛生上も好ましくない問題が発生していた。【０００９】  本発明は、上記の現状の多くの課題を解決するためになされたものであって、重量物である落橋防止ＰＣブロック８の移動、搬送及び、上下昇降、上下位置調整、前後左右の位置と落橋防止ＰＣブロック８の微妙な姿勢や傾きの微調整を人手で容易にできるようにする落橋防止ＰＣブロック８の橋脚１４への取付工事用特殊作業台車装置を提供することを目的としている。
【課題を解決するための手段】
【００１０】  本発明の解決しようとする課題は以上のごとくであり、次にこの課題を解決するための手段を説明する。
請求項１に記載の本発明の落橋防止ＰＣブロック取付工事用特殊作業台車装置Ａは、作業足場上部ステージ１２に仮設された２本のＨ型鋼レール１３上を横行可能な横行ローラー７を有する横行台車１と、該横行台車１の上に３本の昇降姿勢制御油圧ジャッキ５ａ，５ｂ，６により上下に昇降可能に設けられた昇降フレーム２と、該昇降フレーム２の上に設けられたフリーローラーテーブル３と、該フリーローラーテーブル３の上に前後に移動可能な落橋防止ＰＣブロック積載板４とから構成されることを特徴とする落橋防止ＰＣブロック取付工事用特殊作業台車装置である。【００１１】  また、請求項２に記載された該作業台車装置は、個別に昇降可能な３本の昇降油圧ジャッキ５ａ、５ｂ、６を橋脚に向かって前方左右に２本、後方に１本配置して、昇降フレームを３点支持することを特徴としており、このことにより昇降フレーム２を介して、積載された落橋防止ＰＣブロック８の姿勢や前後左右の傾きと上下の微妙な高さ位置を容易に微調整でき、橋脚１４にセットされているＰＣブロック取付アンカーボルト１１の頭とＰＣブロック８に開けられた取付アンカーボルト穴９との微妙な位置合わせが可能となり、人手で容易にかつ安全に落橋防止ＰＣブロック８の橋脚１４への取付作業を可能とすることを特徴とする落橋防止ＰＣブロック取付工事用特殊作業台車装置である。【００１２】  上記構成によると、橋の下の橋脚部１４に設けられた作業足場１２の上に仮設の２本のＨ型鋼レール１３を落橋防止ＰＣブロック８の取付工事に必要な長さだけ設置して、本発明の特殊作業台車Ａを取付けることにより、落橋防止ＰＣブロック８を橋の上から特殊作業台車装置に取り込み、人手で簡単にかつ安全に取付工事を実施することが可能となる。
【発明の効果】
【００１３】  以上で説明したように、本発明の落橋防止ＰＣブロック取付工事用特殊作業台車装置Ａを使用することにより、落橋防止ＰＣブロック８の橋脚１４への取付に際して、重量物である落橋防止ＰＣブロック８の水平、垂直位置やその姿勢や傾きの調整を高精度で能率良く行うことができ、また、作業足場１２上で人手で安全に落橋防止ＰＣブロック８の取付作業を行うことができるという工事作業品質面と工事作業安全環境面から大きな工業的効果が得られるものである。特に、山間部等の従来クレーン車や高所作業車の使用が困難であった多くの取付工事現場における本発明の落橋防止ＰＣブロック取付工事用特殊作業台車装置Ａの使用の効果は、作業者の負荷軽減と危険回避面で著しいものがある。【００１４】  このように、本発明は、工事作業品質面、工事コスト面、工事作業安全環境面からの効果が大きく、落橋防止工事業界のみならず、世の中に多数設置されている橋梁の地震に対する安全性の向上が高品質の工事品質により確保されることにより、世の中に多大な貢献をするものである。
【発明を実施するための最良の形態】
【００１５】  以下、本発明の好ましい実施形態について、図１から図６に基づいて説明する。
図１は、本発明の落橋防止ＰＣブロック取付工事用特殊作業台車装置Ａの概略構成を示す正面図である。図２、図３はそれぞれ、該落橋防止ＰＣブロック取付工事用特殊作業台車の概略構成を示す側面図及び、平面図である。図４は、落橋防止ＰＣブロックの一例を示す斜視図である。該落橋防止ＰＣブロック８は、ブロック本体にＰＣブロック取付用のアンカーボルト穴９が複数個開けられており、上部の落橋防止ストッパーとの接触部には地震時の接触の衝撃を吸収するためのハニカム構造等の衝撃緩衝板１０が取り付けられている。【００１６】  図１で、１は、作業足場１２の上部デッキ上面に仮設された２本のＨ型鋼レールを横行可能な台車横行ローラー７を取付けた横行台車である。２は、該横行台車１に取り付けられた３本の昇降姿勢制御油圧ジャッキ５ａ，５ｂ，６により、上下に昇降可能な昇降フレームである。該昇降フレーム２の上面にはフリーローラーテーブル３が取付けられており、該フリーローラーテーブル３の上には、落橋防止ＰＣブロック８を積載し、フリーローラーテーブル３を介して落橋防止ＰＣブロック８を前後に移動可能なＰＣブロック積載板４が載っている構造となっている。【００１７】  図２、図３に示すように、上下昇降用の３本の昇降姿勢制御用油圧ジャッキは、積載した落橋防止ＰＣブロック８に開けられたＰＣブロック取付アンカーボルト穴９が橋脚１４に取り付けられたＰＣブロック取付アンカーボルト１１の頭の位置に合うまで上昇させ、さらに、取付アンカーボルト１１にＰＣブロック８がスムーズに挿入できるように、落橋防止ＰＣブロックの姿勢や前後左右の傾きを微妙に調整できるように、橋脚１４に向かって横行台車１の前方左右位置に各１本の昇降姿勢制御油圧ジャッキ５ａ，５ｂを、横行台車１の後方に１本の昇降姿勢制御油圧ジャッキ６を、３点支持機構を構成する形で配置している。【００１８】  このように、該昇降フレーム２は、３点支持の３本の昇降姿勢制御油圧ジャッキ５ａ，５ｂ，６を介して、横行台車１上に姿勢や前後左右の傾きが制御可能に取り付けられている。そのため、３本の昇降姿勢制御油圧ジャッキ５ａ，５ｂ，６をそれぞれ微調整することにより、台車装置に積載された落橋防止ＰＣブロック８の姿勢や前後左右の傾きを微妙に調整することが可能になり、ＰＣブロック取付アンカーボルト１１の取付の誤差に対して、取付アンカーボルト穴９の位置を人手で容易に合わせる作業が可能となるのである。【００１９】  図５は、本発明の作業台車装置Ａを使用した作業の全体イメージ図である。
図６は、本発明の作業台車装置を使用して落橋防止ＰＣブロック８を橋脚１４に取付ける場合の取付状況を示す図で、図６（ａ）は、落橋防止ＰＣブロックをＰＣブロック取付アンカーボルト１１の高さ位置まで作業台車装置Ａの昇降フレーム２により上昇させた状態図である。図６（ｂ）は、落橋防止ＰＣブロック８を橋脚１４に取り付けられたＰＣブロック取付用アンカーボルト１１にセットした状態を示す状態図である。
以下に、本発明による落橋防止ＰＣブロック取付工事用特殊作業台車装置Ａを使用して取付作業を行う場合の実際の作業要領を図５、図６に基づき説明する。【００２０】  まず、道路橋の上の片側車線に設置した小型移動クレーン車２０から落橋防止ＰＣブロック８を吊り下げ、橋の下の橋脚周りに設置された作業足場の上部デッキ１２に橋幅をかわして伸ばして取り付けられた仮設の２本のＨ型鋼レール１３の上に載せられた本発明の落橋防止ＰＣブロック取付工事用特殊作業台車装置ＡのＰＣブロック積載板４の上に静かに積載する。積載したＰＣブロック８を転倒防止対策を施した後、横行台車１に取り付けられた台車横行ローラー７を使用して橋脚１４の落橋防止ＰＣブロック取付位置の下部に横行移動する。【００２１】  次に、ＰＣブロック８の取付位置で横行台車１を止めた後、横行台車１に取付けられた３本の昇降姿勢制御油圧ジャッキを使用して落橋防止ＰＣブロック８を積載した昇降フレーム２を、取付アンカーボルト穴９が取付アンカーボルト１１の頭の位置に来るまで上昇させる。【００２２】  次に、主に前方左右に取付けられた２本の昇降姿勢制御油圧ジャッキ５ａ，５ｂを操作して、昇降フレーム２上にあるＰＣブロック積載板４の上に積載された落橋防止ＰＣブロック８の姿勢や前後左右の傾きを微調整して、取付アンカーボルト１１のセットの微妙なずれに対して、取付アンカーボルト穴９の位置を合わせる。取付アンカーボルト穴９と取付アンカーボルト１１の位置を正確に合わせた後、昇降フレーム２の上部に取り付けられたフリーローラーテーブル３の上にセットされた前後移動可能なＰＣブロック積載板４をＰＣブロック８を積載した状態で前方へスライドさせて、ＰＣブロック８を橋脚１４に取り付けられたＰＣブロック取付アンカーボルト１１に挿入セットする。【００２３】  落橋防止ＰＣブロック８がＰＣブロック取付アンカーボルト１１に挿入セットされた時点で、再度作業台車Ａを操作して落橋防止ＰＣブロック８の位置を、ＰＣブロック８が橋脚１４に対して所定の位置に納まるように微調整する。【００２４】  落橋防止ＰＣブロック８が所定の位置に納まった時点で、すべての取付アンカーボルト穴９と取付アンカーボルトボルトの隙間に予め準備したスペーサーを挿入し、落橋防止ＰＣブロックの下がりを防止し、所定のナットで落橋防止ＰＣブロック８を橋脚１４にしっかりと締め付ける。【００２５】  ＰＣブロック取付ナットを全数締め付けた時点で、昇降フレームを下降させ、ＰＣブロック積載板４を元の位置まで後退させて、横行台車１をＰＣブロック荷降ろし位置まで移動させて、次のＰＣブロックの荷降ろし準備を行う。【００２６】  以上で説明したように、本発明の落橋防止ＰＣブロック取付工事用特殊作業台車装置Ａを使用して、落橋防止ＰＣブロック取付工事を行うことにより、簡単な足場や仮設Ｈ型鋼レール等の準備工事を行うことで、人手により簡単で安全でありながら、取付工事品質が良好で高能率な取付工事の実施が可能となる。
【図面の簡単な説明】
【００２７】
【図１】本発明の作業台車装置の概略構成を示す正面図
【図２】本発明の作業台車装置の概略構成を示す側面図
【図３】本発明の作業台車装置の概略構成を示す平面図
【図４】落橋防止ＰＣブロックの一例を示す斜視図
【図５】本発明の作業台車装置を使用した作業の全体説明図
【図６】本発明の作業台車装置を使用してＰＣブロックの取付要領図  （ａ）  ＰＣブロックを取付アンカーボルトの高さまで上昇させた状態図  （ｂ）  ＰＣブロックを取付アンカーボルトにセットした状態図
【図７】落橋防止ＰＣブロックの取付状態図
【図８】クレーンを使用した取付工事を示す該略図
【符号の説明】
【００２８】Ａ    落橋防止ＰＣブロック取付工事用特殊作業台車装置
１    横行台車
２    昇降フレーム
３    フリーローラーテーブル
４    ＰＣブロック積載板
５ａ  右前方昇降姿勢制御油圧ジャッキ
５ｂ  左前方昇降姿勢制御油圧ジャッキ
６    後方昇降姿勢制御油圧ジャッキ
７    台車横行ローラー
８    落橋防止ＰＣブロック
９    ＰＣブロック取付アンカーボルト穴
１０  衝撃緩衝板
１１  ＰＣブロック取付アンカーボルト
１２  作業足場
１３  台車横行用仮設Ｈ型鋼レール
１４  橋脚（または橋台）
１５  橋桁
１６  落橋防止ストッパーブラケット
１７  伸縮ブーム
１８  ＰＣブロック取付用先端治具
１９  クレーン車
【図１】
0004978443.tif 000002
【図２】
0004978443.tif 000003
【図３】
0004978443.tif 000004
【図４】
0004978443.tif 000005
【図５】
0004978443.tif 000006
【図６】
0004978443.tif 000007
【図７】
0004978443.tif 000008
【図８】
0004978443.tif 000009